(57)【要約】      （修正有）【課題】様々な大きさの洗濯物を一度に収納し、洗濯後に洗濯ネットにいれたまま、色々な方法でそのまま干すことができる洗濯ネットを提供する。【解決手段】洗濯物を収納可能な略長方形の洗濯ネット１であって、縫製によって仕切られた複数の収納箇所６、７を有し、洗濯ネット１の両長辺に線ファスナー９、１０が設けられ、収納箇所６、７の収納口を構成し、両短辺２、３に、互いを接合することが可能な留め具が設けられており、少なくとも１の長辺８、１１と１の短辺２、３に、それぞれ複数のフック４、ループ、又はタブが設けられていることからなる。様々な大きさの洗濯物を一度に収納し、選択後に洗濯ネットにいれたまま、色々な方法でそのまま干すことができる。例えば円柱状とすれば、円柱状の回転可能な洗濯干しにそのまま干すことができる。【選択図】図１
0003220027.tif 000002
【実用新案登録請求の範囲】
【請求項１】
洗濯物を収納可能な洗濯ネットであって、
洗濯ネットの１側辺と、当該１側辺と対抗する側辺に、留め具が設けられており、
両側辺を接合することが可能な構成を備え、
少なくとも１辺に、複数のフック、ループ又はタブが設けられていることを特徴とする洗濯ネット。
【請求項２】
フック、ループ、又はタブが、上辺及び／又は下辺と、少なくとも１の側辺に各々複数設けられていることを特徴とする請求項１に記載の洗濯ネット。
【請求項３】
洗濯ネットが、互いに隔離された複数の収納箇所を有し、
長辺を収納口とするファスナーを備えていることを特徴とする請求項１又は２に記載の洗濯ネット。
【請求項４】
留め具が線ファスナーであることを特徴とする請求項１から３のいずれか１項に記載の洗濯ネット。
【請求項５】
洗濯物を収納可能な略長方形の洗濯ネットであって、
縫製によって仕切られた複数の収納箇所を有し、
洗濯ネットの両長辺に線ファスナーが設けられ、収納箇所の収納口を構成し、
両短辺に、互いを接合することが可能な留め具が設けられており、
少なくとも１の長辺と１の短辺に、それぞれ複数のフック、ループ、又はタブが設けられていることを特徴とする洗濯ネット。
【請求項６】
留め具が線ファスナーであることを特徴とする請求項５に記載の洗濯ネット。
【考案の詳細な説明】
【技術分野】
【０００１】
本考案は、洗濯ネットに関する。より具体的には、洗濯物を収納して洗濯機内に入れて使用する洗濯ネットに関する。
【背景技術】
【０００２】
洗濯ネットは、洗濯機で洗濯を行う際に、洋服等の洗濯物を互いに隔離して収納するために使用されるメッシュ状の収納袋である。洗濯ネットの使用により、洋服の毛玉やゴミ移りを防ぎ、互いに絡まることや色写りを防ぐことが可能である。
【０００３】
洗濯ネットに関しては、現状でも様々な大きさや素材のものが市販されており、関連する技術も開示されている。
【０００４】
たとえば、特許文献１に記載の技術は、靴下などの小さなものを洗濯する場合は、一組ずつ分けて入れられるように数部屋に分かれ、シャツなどの大きなものを洗濯する場合は大きな一部屋になるように、開閉出来る仕切りを設けたことからなる洗濯ネットである。
【０００５】
しかし、洗濯ネットは日常頻繁に使用するものであるところ、未だ改善の余地がある。
【先行技術文献】
【特許文献】
【０００６】
【特許文献１】特開2012-81224号公報
【考案の概要】
【考案が解決しようとする課題】
【０００７】
そこで、本考案は、新たな機能・価値を有する洗濯ネットを提供することを目的とする。
【課題を解決するための手段】
【０００８】
上記課題を解決するため、本考案の洗濯ネットは、
洗濯物を収納可能であって、洗濯ネットの１側辺と、当該１側辺と対抗する側辺に、留め具が設けられており、両側辺を接合することが可能な構成を備え、少なくとも１辺に、複数のフック、ループ又はタブが設けられていることからなる。
【０００９】
また、フック、ループ、又はタブが、上辺及び／又は下辺と、少なくとも１の側辺に各々複数設けられていることが好適である。
また、洗濯ネットが、互いに隔離された複数の収納箇所を有し、長辺を収納口とするファスナーを備えていることが好適である。
また、留め具が線ファスナーであることが好適である。
【００１０】
さらに、本考案は、洗濯物を収納可能な略長方形の洗濯ネットであって、縫製によって仕切られた複数の収納箇所を有し、洗濯ネットの両長辺に線ファスナーが設けられ、収納箇所の収納口を構成し、両短辺に、互いを接合することが可能な留め具が設けられており、少なくとも１の長辺と１の短辺に、それぞれ複数のフック、ループ、又はタブが設けられていることからなる。
また、留め具が線ファスナーであることが好適である。
【００１１】
本考案においては、当該１側辺と対抗する側辺に、留め具が設けられており、両側辺を接合することが可能な構成が設けられる。当該構成により、洗濯物を収納後、両辺を接合し、円柱状又は２つ折り状にすることができる。さらに、フック又はループ、又はタブが、上辺に各々複数設けられていることにより、物干し竿又は洗濯干しにそのままかけることが出来る。この両構成を組み合わせて備えることにより、洗濯物を円柱状に洗濯機の中に入れ、取り出してそのまま洗濯干し等に干すことまでを可能にしたものである。
【００１２】
したがって、洗濯ネットは好ましくは略長方形に構成され、対抗する短辺同士が接着される。そして、フック又はループ、又はタブが、上辺及び側辺に各々複数設けられ、長辺側からも短辺側からも洗濯干しにかけることができる。フックであれば洗濯竿にかけやすく、ループであれば洗濯竿に通すことも可能で、タブであれば洗濯鋏にて挟みやすい。
【００１３】
本考案では、互いに隔離された複数の収納箇所を有し、上辺及び下辺を収納口とするファスナーを備えていることが好適である。当該構成は、洗濯物を円柱状に洗濯機の中に入れる際に、多くの洗濯物を同時に収納できると同時に、取り出してそのまま洗濯干しに干す際に、円柱状、縦干し、横干しのいずれにも対応することができる。ファスナーはボタン式、面ファスナー、線ファスナーなど、公知のファスナーを使用することができる。ファスナーは収納口を構成すれば良いので、本願の請求項の記載の解釈については、必ずしも辺の端部そのものに設けられる場合だけでなく、辺近辺に設けられて収納口を構成する場合を含む。また、本願における上下・側の概念については、便宜上、互いに留め具で接合される辺を側辺として表現し、他の１辺を上とした場合に対抗する辺を下辺としたものであり、洗濯ネットの上下左右が本質的に固定されている趣旨ではない。
【００１４】
留め具は、ボタン式、面ファスナー、線ファスナーなど、公知の留め具を使用することができる。円柱状に構成しやすく洗濯時にほつれにくい点において、線ファスナーは好適である。短辺が互いに接合して円柱状又は２つ折りに構成されれば良いため、本願の請求項の記載の解釈については、必ずしも辺の端部そのものに設けられる場合だけでなく、辺近辺に設けられて接合される構成を含む。
【００１５】
なお、洗濯ネットの生地・組成や、各収納箇所の仕切などは、公知の素材・方法をそのまま使用することができ、特に限定されるものではない。したがって、洗濯ネットの大きさ、網目の細かさ、仕切位置などは適宜設定できるものであって、後述の実施例に限定されるものではない。
【考案の効果】
【００１６】
本考案によれば、様々な大きさの洗濯物を一度に収納し、洗濯後に洗濯ネットにいれたまま、色々な方法でそのまま干すことができる。例えば円柱状とすれば、円柱状の回転可能な洗濯干しにそのまま干すことができ、風通しも良く、目隠しの必要もない。また、円柱状にすれば洗濯機に縦に入れることができるため、かなり大きな洗濯ネットとして構成可能で、より多くの洗濯物を収納することができる。さらに、洗濯機ドラム周囲に配置されるので、中央に通常の洗濯物を入れることができるため、洗濯量を見極めやすく効率が良い。また、２つ折りにすることも可能で持ち運びも容易である。多彩な使用方法を提供すると同時に、洗濯から洗濯干しまでの効率を上げることができるものである。
【図面の簡単な説明】
【００１７】
【図１】本考案の洗濯ネットの１例を示す図である。
【図２】本考案の洗濯ネットの使用の１例を示す図である。
【考案を実施するための形態】
【００１８】
本考案の実施の一例を、図面を参照して説明する。
【００１９】
洗濯ネット１は、平面視で略長方形のメッシュ袋状をしており、本実施例のサイズの１例としては、長辺約８０センチ、短辺約４０センチとして構成されている。当実施例における上下左右の表現は図面と対応して述べているにすぎない。
【００２０】
洗濯ネット１の対抗する右短辺２と左短辺３に、互いに噛み合う線ファスナー４が設けられている。したがって、洗濯ネット１を折りまたは丸めて右短辺２と左短辺３を接触させ円柱状にして（図１矢印参照）、ファスナー４を締めることができる。
【００２１】
洗濯物は、縫合により構成された仕切５が存在し、大小様々な収納箇所６，７を構成する。大きな収納箇所６には、シャツなど比較的大きな洗濯物を収納できる。小さな収納箇所７には、靴下など比較的小さな洗濯物の収納に適している。上側の長辺８には、線ファスナー９、１０が設けられており、各収納箇所６，７の収納口となる。下側の長辺１１にも線ファスナー１２，１３が設けられ各収納箇所６，７の収納口となっている。
【００２２】
フック１４が、上側の長辺８に３つ設けられており、洗濯竿にかけるか、洗濯ばさみで挟むことを可能にしている。同様に、右短辺２にもフック１４が２つ設けられており、洗濯竿にかけるか、洗濯ばさみで挟むことを可能にしている。
【００２３】
洗濯物の収納は、所望の線ファスナー９，１０，１２，１３を開けることで、所望の収納箇所に収納することができる。洗濯物を収納後は、例えば対抗する右短辺２と左短辺３の線ファスナー４を噛み合わせて締め、例えば円柱状又は２つ折りにし、そのまま洗濯機の中へ投入して使用する。
【００２４】
洗濯の終了後は、洗濯ネット１を取り出し、そのまま四角形状又は円状の洗濯干しに、フック１４を洗濯ばさみで挟んでかけることができる（図２）。また、ファスナー４を開けて長方形状（図１の状態）に戻し、上側の長辺８のフック１４を使用して横向きに（図１そのままの向きに）洗濯竿又は洗濯干しにかけても良いし、右短辺２のフック１４を使用して縦向きに洗濯竿又は洗濯干しにかけても良い。
【符号の説明】
【００２５】
１  洗濯ネット
２  右短辺
３  左短辺
４  線ファスナー
５  仕切
６  大きな収納箇所
７  小さな収納箇所
８  上側の長辺
９  線ファスナー
１０  線ファスナー
１１  下側の長辺
１２  線ファスナー
１３  線ファスナー
１４  フック
【図１】
0003220027.tif 000003
【図２】
0003220027.tif 000004